(57)【特許請求の範囲】
【請求項１】
たばこ物品のためのパッケージであって、
一群のたばこ物品の前面、側面、および、少なくとも１つの端部の少なくとも一部に隣接した位置にそれぞれ配置される主パネル、２つの側部フラップ、および、少なくとも部分的な端部フラップを備えたフレームと、
前記一群のたばこ物品および前記フレームを包装するとともに、合わせ目がシールされていることのために、これら一群のたばこ物品およびフレームの周囲にシール体を形成するフレキシブルバリアシートと、
を具備してなり、
前記シールされたすべての前記合わせ目が、少なくとも部分的には、前記フレームの一部上に存在していることを特徴とするパッケージ。
【請求項２】
前記端部フラップが、前記一群のたばこ物品の底部の直下位置に位置するベースフラップであることを特徴とする請求項１記載のパッケージ。
【請求項３】
前記端部フラップが、前記一群のたばこ物品の上部の上方において部分的にのみ延在する上部フラップを備えていることを特徴とする請求項１または２記載のパッケージ。
【請求項４】
前記べースフラップおよび前記側部フラップが、前記主パネルのそれぞれ対応するエッジに対してヒンジ連結され、
前記一群のたばこ物品の前記上部の上方において部分的にのみ延在する前記上部フラップの各々が、前記側部フラップに対してヒンジ連結されていることを特徴とする請求項２記載のパッケージ。
【請求項５】
前記主パネルが、ただ１つの主パネルであることを特徴とする請求項１〜４のいずれかに記載のパッケージ。
【請求項６】
前記側部フラップのうちの、前記主パネルから離れた自由端が、前記フレームのエッジを形成していることを特徴とする請求項５記載のパッケージ。
【請求項７】
前記バリア材料が、再シール可能なアクセス開口を有していることを特徴とする請求項１〜６のいずれかに記載のパッケージ。
【請求項８】
前記再シール可能なアクセス開口が、該アクセス開口を被覆している前記バリア材料に対してオーバーラップするエッジ部を有したカバー層によってカバーされ、
該カバー層の前記エッジ部が、恒久的な粘着剤を有していることを特徴とする請求項７記載のパッケージ。
【請求項９】
前記恒久的な粘着剤が、香料を有したマイクロカプセルを備えていることを特徴とする請求項８記載のパッケージ。
【請求項１０】
前記フレームが、前記一群のたばこ物品がなす平行六面体の２つの側面と少なくとも１つの端面と１つの主面だけとを囲んでいることを特徴とする請求項１または２記載のパッケージ。
【請求項１１】
前記フレームの２つの前記側部フラップは、一方のエッジにおいて前記主パネルに対して取り付けられ、反対側のエッジが自由端とされていることを特徴とする請求項１０記載のパッケージ。
【請求項１２】
ベースフラップが前記一群のたばこ物品を囲みかつ上部フラップが前記一群のたばこ物品の上部の少なくとも一部を囲むことにより、前記フレームが、前記一群のたばこ物品の両端面上に延在していることを特徴とする請求項１０または１１記載のパッケージ。
【請求項１３】
前記側部フラップおよび端部フラップの各々が、１つのエッジのみを介して取り付けられていることを特徴とする請求項１１または１２記載のパッケージ。
【請求項１４】
前記一群のたばこ物品が、７−６−７配置とされたものであることを特徴とする請求項１〜１３のいずれかに記載のパッケージ。
【請求項１５】
香料を含有していることを特徴とする請求項１〜１４のいずれかに記載のパッケージ。
【請求項１６】
前記香料が、前記フレームに付帯されていることを特徴とする請求項１５記載のパッケージ。
【請求項１７】
上部端部フラップが設けられ、
該上部端部フラップは、少なくとも部分的に前記フレームから取り外し可能とされていることを特徴とする請求項１〜１６のいずれかに記載のパッケージ。
【請求項１８】
たばこ物品のためのパッケージの製造方法であって、
主パネル、２つの側部フラップ、および、少なくとも部分的な端部フラップを備えてなるフレームを、これら主パネル、２つの側部フラップ、および、端部フラップが、一群のたばこ物品の前面、側面、および、少なくとも１つの端部の少なくとも一部に当接するようにして、前記一群のたばこ物品の周囲に配置し、
前記一群のたばこ物品および前記フレームを、フレキシブルバリアシートでもって包装するとともに、合わせ目を形成するようシール装置によってフレキシブルバリアシートを押圧することによりこれら一群のたばこ物品およびフレームの周囲にシール体を形成し、
すべての合わせ目の形成に関して前記たばこ物品上に前記シール装置によってもたらされる圧力に対して、少なくとも部分的には、前記フレームが対抗することを特徴とする方法。
【請求項１９】
前記バリア材料に折り畳み部分を形成し、該折畳部分を前記少なくとも部分的な端部フラップ上においてシールすることを特徴とする請求項１８記載の方法。
【発明の詳細な説明】
本発明は、シガレットやシガーやシガリロといったたばこ物品のためのパッケージに関するものである。簡略化と明瞭化とのために、この明細書中においては、たばこ物品として、シガレットを参照する。
シガレットパッケージは、大きくは、堅固なものとソフトなものとの２種類に大別される。ソフトなパッケージは、米国および日本において一般的である。ソフトなパッケージは、名前が示唆しているとおり、本質的に、ソフトなシート材料から形成されている。堅固なパッケージは、欧州においてよく見かけるものであって、一群のシガレットを収容するための厚紙製の外側シェルを有している。
堅固なタイプのものは、シガレットの良好な保護、および、湿気の出入りを防止するために設けられるバリア層のような内装の良好な保護をもたらすことができる。しかしながら、堅固なパッケージは、構成および組立がかなり複雑であって、コストがかさむ要因となっている。
ソフトなパッケージは、より単純であって、より安価である。しかしながら、持ち運び時や取扱い時に、内容物がダメージを受けてしまうリスクが大きい。
本発明は、半堅固なものと称すことができるような、シガレットパッケージの新たな形態を目的とする。
従来技術においては、一群のシガレットと外装との間に、様々な補強や保護シートが配置されている。
例えば、英国特許出願公開明細書第２２６４４８３号には、厚紙製の折畳キャップを、一群のシガレットの脆弱な端部上に配置することが開示されている。
英国特許出願公開明細書第１５１４１７４号には、ベースパネルを介して連結された前パネルおよび後パネルと、側部パネルと、を有する内側ライナーが開示されている。この内側ライナーは、外装内に配置されるべき端部開放型ボックスを形成する。欧州特許出願公開明細書第６３３２０２号には、包装された一群のシガレットが内部に挿入されるような、上端開放型外側ボックスが開示されている。
英国特許出願公開明細書第９１８３８８号には、包装内に配置される大いに堅固なボックスが開示されている。しかしながら、このボックスの一方の側部パネルは、従来のパッケージのようには固定されておらず、内方側に圧縮することができる。これにより、シガレットに対するアクセスのための、外装の引き離しが可能とされている。
米国特許明細書第１７５５５７９号には、一群のシガレットの周囲に配置されるフレームであって、錫箔または均等物の周囲を包むフレームが、開示されている。
本発明のパッケージにおいては、シガレットパッケージは、一群のたばこ物品の前面、側面、および、少なくとも１つの端部の少なくとも一部に隣接した位置にそれぞれ配置される主パネル、２つの側部フラップ、および、少なくとも部分的な端部フラップを備えたフレームと、一群のたばこ物品およびフレームを包装するとともに、合わせ目がシールされていることのために、これら一群のたばこ物品およびフレームの周囲においてシールされるフレキシブルバリアシートと、を具備している。ここまでは、単一の端部フラップに関する限りにおいては、英国特許出願公開明細書第１５１４１７４号のものと同様である。しかしながら、本発明においては、シールされたすべての合わせ目が、少なくとも部分的には、フレームの一部上に存在している。
フレームは、好ましくは開放しており、チャネル状（つまり、側部フラップが単一の主パネルだけにしか連接していない形状）とすることができる。しかしながら、フレームは、少なくとも部分的には、端部フラップを有している。通常、フレキシブルシートの外部には堅固なシェルが設けられることがなく、パッケージは、パッケージ形成シートの保護をもたらすための、また場合によってはバリア特性をもたらすための、例えば透明プラスチック製またはセロハン製の、外側ラップを、シールされたバリアシートの外部に有することができる。
バリアシートは、金属箔／プラスチックラミネートあるいは金属被覆されたプラスチック材料といったバリア材料である。シートは、一群のシガレットおよびフレームの周囲にシール体を形成するよう、シールされる。これにより、実用的な気密性を有したシール体が形成される。包装またはバリア層における合わせ目のシール形成は、特にパッケージの側部上における合わせ目のシール形成は、内側フレームの側部パネルの存在によって補助される。側部パネルは、一群のシガレットに対して当接していて、シール装置が合わせ目に対してもたらす力に対して対抗し、この力を分散させるよう機能する。このことは、一群のシガレットが、７−６−７配列のような、列ごとに本数が異なる配列とされている場合に、あるいは、側面上にチャネルが形成されるような場合に、特に有効である。
パッケージには、一群のシガレットに対してのアクセスをもたらすための手段が設けられる。パッケージの端部近傍において特に上端部近傍において、パッケージの周囲の少なくとも一部にわたって引裂ストリップを設けることができる。その結果、シートの一部が、全体的にまたは好ましくは部分的にだけ、分離される。後者の場合、内側フレームは、パッケージの再閉塞を容易とするために、一体的にまたは個別的に、内部蓋形成部を設けることができる。
アクセスの目的のための分離は、パッケージ形成シート内の脆弱ラインまたは部分的切込とともにあるいは補助されて、行うことができる。
シール体は、再シール可能とすることができる。その場合には、アクセス開口がバリア層内に形成され、開口上に延在するとともに開口のすべてのエッジにおいてバリア層に対して係合するカバーが設けられる。カバーは、バリア層に対して係合するための恒久的な粘着面を有している。これにより、開口を通してシガレットを取り出した後に、パッケージを再シールすることができる。
包装体またはバリア層は、パッケージまたは一群のシガレットの一端面（例えば底面）において連続的とすることができ、かつ、パッケージの両側面（主面ではなく面積が小さい方の側面）に側部合わせ目を有することができる。反対側の端面（例えば上面）には、折畳部分が形成される。バリア層は、必ずしもこのようにして適用する必要はない。バリア層は、一方の側面において連続的でありかつ他方の側面および両端面（上面および底面）においてシールされていても、同様に良好に適用することができる。
接着剤、ラッカー、および同等品をバリア材料に対して適用することによって得られた熱シール部分の様々なタイプのものは、互いに熱シールされることによりまたはバリア層に対して熱シールされることにより、限りなく気密に近いシール体を形成する。
さらに、バリア層の再シールのために使用されている恒久的粘着剤中に、香料を含有することができる。この場合には、シガレットが取り出されるたびに、ある量の香料が放出される。このことは、パッケージの初回開封時に単発的に少量の香料が放出されるような公知システム（米国特許明細書第５２４９６７６号に開示されている）とは、明確に相違している。
香料は、好ましくは、マイクロカプセルに詰められる。この場合、バリア層から粘着面を剥がすたびに、ある量のマイクロカプセルが破壊されて、包含されていた香料が放出される。単発的な香料放出システムに関連した米国特許明細書第４７２０４２３号においては、香料を付帯したマイクロカプセルを接着剤内に包含させるための方法が開示されている。
香料とは、例えば香水や脱臭剤といった芳香調節製品を放出したり形成したり中性化したり遮蔽したり変質させたりするすべての物質を意図している。
上記に代えてまたは加えて、香料は、包装体の内部に含有されたものの中に包含させることができる。このようなものは、例えばパッド・紙シートといった多孔性材質とすることができ、あるいは、半堅固パッケージの厚紙製内側フレームとすることができる。これに代えて、香料は、カプセル詰めしたりあるいはにおい袋内に内在させることができ、これらカプセルやにおい袋は、パッケージ内に含有することができる。
この香料は、パッケージ内に収容されているシガレットに浸透することができる。これにより、シガレットの喫煙時に、味わいや香りに影響を及ぼすことができる。このような香料として好ましいものは、メンソールである。
香料は、再封止可能な接着剤層（バリア層の外）と挿入体（バリア層の内）との双方に組み込むことができる。これら香料は、互いに同じものとすれば、香料の影響を増強することができ、互いに異なるものとすれば、例えば、開封時にある香りをもたらすとともに喫煙時に他の香りをもたらすことができる。
我々は、また、本発明における再封止可能パッケージに対して特に好適な内側フレームを開示する。このような内側フレームは、互いに折り曲げられることによって平行六面体のうちの、部分的ではあっても１つの主面を含めた４つの面を形成するためのパネルと、付加的に、平行六面体の不完全な第５面を形成するための１つまたは複数のフラップと、を備えている。
好ましい構成においては、フレームは、主面と、２つの長尺側部ウィングと、（底部用）端部パネルと、２つのフラップと、を備えている。側部ウィングの長エッジおよび端部パネルの長エッジは、それぞれ、主面の長エッジおよび短エッジである。フラップは、側部ウィングの上端部に位置している。よって、折り曲げたときには、フレームは、平行六面体のうちの、主面と、２つの長尺側面と、底面とを形成し、さらに、不完全な上面のうちの２つの部分をなすフラップが設けられている。
主面が完全な矩形ではなく、上端部に凹所を有していることが好ましい。このような凹所が存在する場合には、端部パネルが、２つの折り曲げられていないフレームのブランクをつなげたときにはまり合うような形状である（つまり、２つのブランクが、重なり部分やギャップ部分を形成することなくつながり合う）ことが、なお好ましい。この場合には、必要とされる材料の量を最小化することができる。
内側フレームが再封止可能パッケージ内において使用された場合には、そこを通ってシガレットに対するアクセスがなされるバリアシートのアクセス開口は、好ましくは、フラップと主パネルの凹所との間の領域において延在している。パッケージ内に残っているシガレットによって支持されている１つまたは複数のフラップ（支持される理由は、側面の長さが好ましくはシガレットの長さと同程度とされているからである）は、アクセス開口の近傍におけるバリア層を支持するためのアンビルとして機能する。これにより、接着性カバーをバリア層に対して緊密に押しつけることができ、再封止の補助を行う。
当然のことながら、内側フレームは、パネルどうしの間に単一の折畳を有すること（尖鋭なエッジが形成される）も、二重の折畳を有すること（斜めのエッジが形成される）も、できる。これに代えて、フレームの側面を丸めることができ、これは、例えば、いわゆる「オーバル」パッケージにおいて使用される。
各々が内側フレーム内に収められている複数群のシガレットを、単一のパッケージ形成シート内に、すべてを一緒に包装することができる。これにより、複数群のシガレットを収容した半堅固なパッケージが形成される。
香料は、いわゆる「ひっかいて香りを出す」パネルの形態で、パッケージに対して適用することができる。つまり、香料を、剥がされたときに香料を放出し得るような形態（例えば、マイクロカプセルの形態）で、パッケージ上にコーティングすることができる。このようなひっかき芳香パネルは、周知であって、例えば、香水の雑誌広告に掲載されている。
バリア層の合わせ目は、例えば印刷によって包装体に対して適用されるような接着剤や熱シールストリップを使用して、形成することができる。これは、包装体が金属／紙ラミネートまたは金属被覆された紙である場合に、特に好適である。しかしながら、プラスチックラミネートまたは箔の１つまたは複数の外面は、熱シール材料から形成することができる。
図１は、閉塞状態におけるパッケージの第１実施形態を示す斜視図である。
図２は、開放状態におけるパッケージを示す図である。
図３は、第１実施形態における内側フレームのためのブランクを示す図である。
図４は、一群のシガレットを収容するために折り曲げられたフレームを示す平面図である。
図５は、フレームおよびシガレットを包むためのシートを示す図である。
図６および図７は、第２実施形態を示す斜視図であって、それぞれ、閉塞状態および開放状態を示している。
図８および図９は、第３実施形態を示す斜視図であって、それぞれ、閉塞状態および開放状態を示している。
図１０および図１１は、第４実施形態を示す斜視図であって、それぞれ、閉塞状態および開放状態を示している。
図１２は、所定位置に配置された接着性ラベルを示す図である。
図１３は、本発明の第５実施形態における内側フレームを示す図であって、未折曲状態が示されている。
図１４は、折曲状態における図１３の内側フレームを示す図である。
図１５は、バリア材料の第２実施形態におけるカットブランクを示す図である。
図１６は、シール体へと組み立てられた時の第２実施形態を示す正面図である。
図１７は、シール体へと組み立てられた時の第２実施形態を示す平面図であって、一部を切り欠いて図示がなされている。
図１８は、シール体へと組み立てられた時の第２実施形態の一方の側面を示す図である。
図１９は、シール体へと組み立てられた時の第２実施形態の他方の側面を示す図である。
図２０は、バリア材料のためのカットブランクの第３実施形態を示す図である。
図２１は、シール体へと組み立てられた時の第３実施形態を示す正面図である。
図２２は、シール体へと組み立てられた時の第３実施形態を示す平面図であって、一部を切り欠いて図示がなされている。
図２３は、シール体へと組み立てられた時の第３実施形態の一方の側面を示す図である。
図２４は、シール体へと組み立てられた時の第３実施形態の他方の側面を示す図である。
図２５は、バリアブランクの内面上における熱シール可能領域を示す図である。
図２６は、バリアブランクの外面上における熱シール可能領域を示す図である。
図２７は、内側フレームの第６実施形態を示す図である。
図２８は、第６実施形態を使用して形成されたパッケージを示す図である。
図２９は、開封された、図２８のパッケージを示す図である。
図１においては、金属箔がラミネートされたプラスチックまたは金属被覆されたプラスチックシートといったフレキシブルなバリア材料からなるシートが、内側フレームおよび一群のシガレットの回りを包んでいて、シガレットパッケージを形成している。閉塞されたパッケージを形成するために、熱シールが施される、あるいは、パッケージ自身に対して恒久的なシールが施される。パッケージは、セロハンや透明プラスチックのようなソフトな外装（図示せず）によって被覆することができる。
パッケージの上部には、補強引裂ストリップが、バリア材料の内部において、ある側部合わせ目３から他の合わせ目（図示せず）までにわたって、固定されている。引裂ストリップには、使用者が外装を取り外してシガレットに対してアクセスしようとする際に使用者によって取り扱われるために、合わせ目３を超えて露出されたタブ２が設けられている。これに代えて、タブ２を、クーポンやラベルや物品税スタンプのような接着性パッチによって保護することができる。
引裂ストリップの操作によるバリア材料の分離は、必要であれば、バリア材料内の脆弱化ライン６によって補助することができる。ただし、脆弱化ライン６は、バリア材料のバリア特性に悪影響を及ぼすものであってはならない。例えば、レーザーカットラインは、金属被覆部分には影響を与えることなく金属被覆プラスチックの金属部分の厚さの半分だけに侵入することができる。
一群のシガレットの回りへのシートの折畳（この特性については図６を参照して説明される）、および、パッケージの基部近傍４や上面５における折畳は、例えば、引裂ストリップを設け得るようまた必須の熱シールや他のシールを行い得るよう実効的に最大長さの内側フレームを処理し得るよう改良されたMolins HLPやSchemermundシガレットパッケージング装置において、容易に行える操作である。
図２は、引裂ストリップを使用して所定幅のバリア材料を除去した状態におけるパッケージを示している。フレームの蓋部は、パッケージの上面５の内部に対しての接着によって、パッケージに取り付けられたままである。使用者は、蓋部を上方に折り曲げることができる。パッケージは、フラップ９からなる蓋を、引裂ストリップ２の除去によって形成されたバリア材料製リップ８内に、たくし込む（押し込む）ことにより、再閉塞することができる。
以下、パッケージの構成要素を、より詳細に説明する。図３は、内側フレームのためのブランクを示している。ブランク１０は、前パネルを形成するための中央部分１１と、前パネルに対してヒンジ連結されていて前パネルに対して直角に折り曲げられるべき側部ウィング１２と、を有している。しかしながら、パネルどうしの間には、２本の切込線または脆弱化ライン１３が設けられている。そして、各ウィングのエッジには、ウィング１２がパネル１１に対して直角に折り曲げられた際に図４に最も明瞭に示すような角度付きコーナーという構成をもたらすための、切込線１４が形成されている。内側フレームは、ここでは２０本とされた一群のシガレット１５を内部に収容するためのチャネルを形成している。
パネル１１の上部においては、カットライン１８が、ブランク１０の蓋形成部７のうちのフラップ９の端部を規定している。フラップの両側部においては、内側ライン１３が、カットライン１９として続いている。しかしながら、カットライン内におけるおよびカットラインどうしの間における中断部分（非カット部分）２０は、蓋部７がブランクから意図的に切り離されるまでは、ブランクの残部に対して取り付いたままであることを確保する。ヒンジライン１７によって規定されたヒンジ部２１が、フラップ９と蓋形成部７の端部パネル２２とを連結している。
内側フレームおよび一群のシガレットの周囲に被覆を形成すべき材料をなすシート２４が、図５に示されている。シート２４は、矩形であって、内側フレームおよび一群のシガレットの周囲に配置される際には、シートは、まず最初に、一群のシガレットを収容した内側フレームのベースの前端および後端のところに対応して、ライン２６において折り曲げられる。その次に、ライン２５の位置２７において折り曲げることにより、ベースの側部における曲げが形成される。そして、内側フレームの側部ウィング１２を被覆するようにしてライン２５に沿って折り曲げられる。これにより、側部合わせ目３が形成される。さらに、引裂ストリップ２８を超えたフラップおよび折曲線２９を超えたフラップを使用して、上面５において、ダイヤモンド形折畳が形成される。そして、すべての重ね合わせ部分が互いにシールされて、気密シール体が形成される。
ライン６は、シートの直下に位置するとともに上述のタブ２をもたらす引裂ストリップ２８の両エッジを示している。これらエッジは、シート２４をなす材料内に形成された脆弱ラインまたは部分切込ラインに追従することができる。
端部パネル２２は、バリア材料の上面５をなす内面に対して、熱シールされる、あるいはそうでなければ、恒久的に固定される。ヒンジライン１７は、（端部パネル２２の）シート２４に対しての貼り合わせ部分の境界位置に対応している。
パッケージを開封する際しては、使用者は、すべての付属的な外装フィルムおよび接着パッチを取り外し、その後、タブ２を引っ張る。これにより、パッケージ１の前部において、および、パッケージ１の側面のうちの前寄りに位置した部分において、ライン６と側部合わせ目３との間に位置したバリア材料が除去される。端部パネル２２は、シート２４の内面に対して固定されたままであり、さらに、パッケージのバリア層の側面のうちの残部３０を介して、パッケージの残部に対して取り付けられたままである。この場合、フラップ９の下端は、引裂ストリップが除去された後において残された材料からなるリップ８よりも下に位置しているカットライン１８のところに位置している。このようなフラップ９は、中断部分（非カット部分）２０を引き破ることによって、上方側におよび後方側に折り曲げることができる。これにより、シガレットに対してのアクセスを得ることができる。再閉塞を行うには、フラップ９を、リップ内へと再度たくし込めば良い。
図６および図７に示す実施形態は、内側フレーム３３を包んでいるバリア材料が、ただ１つの側部合わせ目３２を有しているようなパッケージ３１である。このような折畳形態は、例えば、ＧＤ機械によって行われる。引裂ストリップ２８’は、パッケージの全周にわたって設けられている。このため、タブ２’が引っ張られたときには、バリア材料の上部全体が除去されることとなり、図７に示すようにしてシガレット１５が露出される。内側フレームのブランクには、蓋部が一切設けられていない。
図８および図９は、第１実施形態と同様に２つの側部合わせ目３’を有したパッケージの全周にわたって引裂ストリップ２８”を延在させるための方法を示している。引裂ストリップ２８”は、バリア材料の折畳時および熱シール時に領域３４において互いに融着された２つの部分を有している。このような引裂ストリップを使用した分離時には、シガレット１５は、図９に示すようにして、内側フレーム３３内に現れる。
図１０は、パッケージの一側部から他方の側部にわたって引き裂きストリップ２８’’’を延在させる方法を示している。この場合、内側フレーム３４が蓋部を有していない。
パッケージのバリア材料を分離させるために引き裂きストリップ２８’’’が引っ張られたときには、図１１に示すような結果が得られる。パッケージの上面において折り畳まれたシール部分は、後部と側部の一部とを介して取り付けられたままである。このような上面は、中央線に沿って折り曲げるｋとができる。これにより、蓋のような機能をもたらして、シガレット１５に対してのアクセスをもたらすことができる。このような実施形態においては、引裂ストリップの一方のエッジは、上面５のエッジに対して一致しているべきである。そうでない場合には、上面の折曲によって、バリア材料の捻れや引裂が起こってしまう。
図１２は、クーポンやラベルや物品税スタンプといった接着性パッチ３５を、例えば第１実施形態や第４実施形態のようなパッケージにおける上面の保護に使用可能であることを示している。パッチの部分３６は、パッケージの側部へと下がっている。この部分３６は、タブ２を有しているもののこのタブをカバーしている。これにより、偶発的な開封が防止できるとともに、不正開封認識機能をもたらすことができる。
図１３および図１４は、上記のいずれのバリア層に対しても適用できるとともに上面に端部フラップを有していて再封止可能なシール体のために好適な、内側フレームを示している。
内側フレーム１０１は、図１３に示すように、硬い厚紙製または同様の折曲可能な材料製とされた、ブランクシートから形成されている。全体的に矩形形状とされた主パネル１０２は、２つの主エッジ１０６から張り出した長尺矩形の側部ウィング１０４を備えている。これら側部ウィングの長い方のエッジは、主エッジ１０６と一緒に延在している。全体的に矩形の端部パネル１０８は、主パネルの短い方のエッジ１１０（「底部」エッジ）から張り出しており、この端部パネルの長い方のエッジは、底部エッジ１１０と一緒に延在している。側部ウィングの上端には、側部ウィングの上エッジ１１４に沿って側部ウィングに連接した、小さな矩形フラップ１１２が設けられている。
図１４は、ライン１０６，１１０，１１４に沿って内側に折り曲げられた内側フレームを示している。パネル１０２およびウィング１０４，１０８は、平行六面体の４面を形成している。フラップ１１２は、不完全な第５面の両端部を形成している。
主パネル１０２は、完全な矩形ではなく、上エッジに凹所を有している。底部パネルは、その凹所に適合した形状とされている。そのため、図１３からわかるように、２つの折り曲げていない２つのフレームを上下方向につなぎ合わせると、はまり合うことがわかる。
再封止可能な半堅固なパッケージにおいては、主面がパッケージの前面を形成する。シガレットへのアクセスのための開口が、主面内の凹所に重なり、また、上面において２つの端部フラップの間の空間部分に重なる。２つの端部フラップ１１２は、パッケージ内に残っているシガレットによって支持されたときには、再封止可能なバリア層の接着性カバーを押圧して良好な再シールが達成されるよう機能するアンビルをなす。主パネル１０２の主面の主エッジの長さは、収容すべきシガレットの長さと同様である。そのため、端部フラップによってシガレットを支持することができ、バリア層によって包まれていることのために、端部フラップは、シガレットを長さ方向にソフトに圧縮することができる。
バリア層の内部には、例えばにおい袋やカプセルや多孔性シートといったような、香料を付帯したものを備えることができる。これに代えて、内側フレームを例えばメンソールのような香料がコーティングされた厚紙またはそのような香料を内在した厚紙から形成することができる。
香料を付帯したマイクロカプセルを、恒久的に粘着性の接着剤内に含ませることができる。この場合には、シガレットが取り出されるたびに、香料を放出することができる。好適な接着剤は、イングランドのSessions of York, Huntington Road, York Y03 9HSから入手可能である。
図１５は、通常は内側フレーム内に収容される一群のたばこ物品の周囲においてバリアシールを形成するためのカットブランクを示している。このブランクは、上記のすべての状況下において使用可能であるとともに、上記において言及したいずれの材料からも製造することができる。ただし、１つの短い端部回りではなく、シガレットの一群および内側フレームの１つの短い側部エッジ回りに折り畳まれることによって適用されるよう構成されている点において相違している。
ブランクは、組み立てられたパッケージの前パネルおよび後パネルのそれぞれをなす主面２０１および２０２を有している。中間パネル２０３は、シガレットの一群の短い側面の一方の回りに連続的である。端部パネル２０４，２０５は、シガレットの一群の短い側面の他方において互いに重なり合い、合わせ目において互いに熱シールされる。
パネル２０１〜２０５の一方のエッジにおいては、主面に対して、端部フラップ２０６，２０７が設けられ、小さなパネルに対して、ガセット２０８，２０９，２１０が設けられている。まず最初に、端部パネル２０６，２０７が折り畳まれて、次に、ガセット２０８，２０９，２１０がその上に折り畳まれる。そして、通常はパネル２０４，２０５間の側部合わせ目の場合と同様に、熱シールによって、端部パネルとガセットとがシールされる。それから、ガセットがたくし込まれて、側部パネルに対して面一とされた所定位置で固定される。
パネル２０１〜２０５の他方のエッジにおいては、端部フラップおよびガセット２１０〜２１４が設けられる。これら端部フラップおよびガセットは、全体的には端部フラップおよびガセット２０６〜２１０に対応したものであるが、フラップ２１０，２１１において、スリットが形成されている点において相違している。スリットは、パッケージの使用者が内容物に対してアクセスを行うための、開放可能なアクセスフラップを形成するためのものである。
フラップ２１０は、平行な切込線２１５によって分断されている。切込線２１５は、フラップ２１０の自由端から出発していて、主前パネル２０１内へと、短いブリッジ２１６のところまで、延長されている。Ｕ字形の切込線２１７が、主パネル２０１内において、一方のブリッジから他方のブリッジへと延在している。
端部フラップ２１１においては、平行な切込線２１８が、パネル２０２とフラップ２１１との境界をなす潜在的な折曲線のところまで延在している。切込線２１８は、場所２１９のところにおいてＪ字形に曲げられている。
フラップ２１１の自由端の近くにおいては、ブリッジ２２０が設けられている。ブリッジ２２０を超えたところがらは、切込線２１８に対して一直線上に位置しているとともにフラップ２１１の自由端にまで達する短い最終切込線２２１が形成されている。
図１６は、パッケージ（あるいは、パック、シール体）が組み立てられる際に、主面２０１、切込線２１５，２１７、および、ブリッジ２１６が、いかにして現れるかを示している。もちろん、パッケージが再シール可能であることにより、再シール可能な恒久的に接着性の層によって被覆されるので、両切込線が露出されることはない。さらに、パッケージは、任意の適切なタイプの外側カートン内に収容することができ、および／または、任意の適切なタイプの外側カートンによって包むことができる。
図１７は、一群のシガレット回りに組み立てられた際のバリア体の上面を示している。この場合、フラップ２１０は、フラップ２１１上へと領域２２２において熱シールされている。切込線２１５どうしの間の間隔が、切込線２１８どうしの間の間隔よりもわずかに大きいことがわかる。このため、これら２種類の切込線どうしは、組み立てられたパッケージにおいて一致することがなく、よって、バリア作用の連続性をもたらしている。フラップ２１０は、切込線２１８，２２１間のブリッジ２２０の位置を図示するために、部分的に切り欠いて図示されている。
図１８は、側部フラップ２０４，２０５間における、側部合わせ目熱シール領域２２３を示している。ガセット２０９，２１０，２１３，２１４は、パッケージの側面の上端部および下端部において、折畳部分２２４，２２５を形成している。
他方の側面においては、図１９からわかるように、側面、および、ガセット２０８，２１２によって形成された折畳部分２２６，２２７の回りにおいて、バリア材料が連続している。
ブランクの第３実施形態においては、図２０〜図２６に示すように、異なる折畳手段が設けられている。この実施形態においては、組み立てられたパッケージの側壁がきれいに仕上がるという利点があるけれども、アクセスフラップの形成のために利用可能な幅が若干狭くなってしまう。
ブランクのこの実施形態においては、主パネル２３０，２３１（図２０）は、それぞれ前パネルおよび後パネルをなすものであって、側部パネル２３２を介して連結されている。側部パネル２３２は、一群のたばこ物品および内側フレームの小さな側面の一方を連続的に被覆する。組み立てられたパッケージにおいては、パネル２３３，２３４が、他方の側面上において互いに重なり合い互いにシールされる。
端部フラップ２３５〜２３９が、破線で示されている潜在的な折畳線を介して、それぞれ、パネル２３０〜２３４に対して連接されている。特に、斜めの折畳線２４０が、特にフラップ２３５，２３６といった端部フラップに設けられている。
パネル２３０〜２３４の他方のエッジにおいては、端部フラップ２４１〜２４５が、それぞれ、フラップ２３５〜２３９に対応して設けられている。この場合、折畳線２４０に対応した折畳線２４６が設けられている。
しかしながら、第２実施形態と同様に、主要な端部フラップ２４１，２４２は、切込線によって分断されている。切込線は、このブランクによって一群のたばこ物品の周囲に形成されるシール体に対してのアクセスフラップを形成するためのものである。切込線２４７は、フラップの自由端近傍から出発していてフラップ２４１を平行に横切っており、主パネル２３０内へと、点２４８のところまで、延長されている。Ｕ字形の切込線２４９が、主パネル内において、一方の点２４８から他方の点２４８へと延在している。
端部フラップ２４２においては、Ｊ字形状の切込線２５０が、フラップの自由端近傍から、パネル２３１に対しての潜在的な折曲線のところまで延在している。また、ブリッジ２５１が設けられていて、このブリッジ２５１のところからは、フラップの自由端へと達する短い切込線２５２が形成されている。
図２１は、カートンへと組み立てられた、図２０のブランクの正面図を示しており、図２２は、その平面図を示している。この場合にも、切込線２４７，２５１が一致していないことに注意されたい。ただしこの場合には、第４実施形態とは異なり、切込線２５０の方が、切込線２４７よりも、大きな程度で離れている。この場合にも、切込線２５０におけるブリッジ２５１を図示するために、フラップ２４１が部分的に切り欠いて図示されている。
図２３は、側部パネル２３３，２３４間に形成された側部合わせ目２５３を示しており、図２４は、一群のシガレットの他方の側面上におけるパネル２３２を示している。折畳部分を一群のシガレットの上面および底面だけに形成したことにより、側面がすっきりときれいに仕上がっていることに注意されたい。
他の実施形態におけるバリア層ブランクが、図２５および図２６に示されている。これらの外形は概略的なものであって、上記ブランクのいずれの形態とすることもできる。バリアは、一群のシガレットおよび内側フレームの底面回りにおいて連続的なものであって、ラインまたはカットによって形成されるアクセス開口を有することができる。
図２５および図２６においては、主パネル２６０，２６１は、ベースパネル２６２を介して連結されていて、頂部フラップ２６３，２６４が設けられている。側部フラップおよびコーナーフラップ２６５〜２６９が、パネルおよびフラップ２６０〜２６４の各辺に沿って設けられている。
ハッチング部分は、組み立てられたパッケージ（あるいは、パック、シール体）において内側を向く面上における領域２７０（図２５の場合）、および、組み立てられたパッケージにおいて外側を向く面上における領域２７１（図２６の場合）を示している。領域２７０，２７１は、熱シール可能なラッカーまたは接着剤が適用された領域である。これに代えて、バリア材料をなすプラスチック化合物からなる熱シール領域どうしが互いに適合していて、すべての合わせ目回りに連続的なシールを形成し、シールバリア体へと折り畳まれても良い。
内側フレームの第６実施形態におけるブランク１０’が、図２７に示されている。このブランクは、図３に示すブランクと同様のものであって、そのため、同じ参照符号にプライム（’）が付されている。
パネル２１’は、パネル２１と比較して大きく張り出している。パネル２１’は、収容されるべき一群のたばこ物品１５の前後方向奥行きと同程度の幅を有している。端部パネル２２’は、一群のシガレット１５の背面側に位置するものである。この場合、ブランクは、前パネル１１’が短くされていることによって、厚紙ウェブから無駄なくカットすることができる。
パッケージは、図２８に示すようにして組み立てられる。端部パネル２２’は、引裂ストリップ２よりも下に位置する部分だけにおいてバリア層に対して熱シールされる。この熱シール部分は、図２７においては、端部パネル２２’のうちのハッチング部分で示されている。パッケージの全周にわたって延在している引裂ストリップ２が引っ張られると、バリア材料による被覆の頂部全体が除去される。その後、使用者は、前フラップ９を内側に押し込んで、中断部分（非カット部分）２０を破る。それから、フラップおよび上部パネル２１’を、図２９に示すように、端部パネル２２’に対してヒンジ連結された蓋として持ち上げることができる。カットライン１８’が引裂ストリップ２の下エッジよりも下に位置していることにより、前フラップ９のエッジ部を、パッケージの前部に残ったバリア材料内に押し込むことができ、これにより、パッケージを再閉塞することができる。
【図１】
0003798030.tif 000002
【図２】
0003798030.tif 000003
【図３】
0003798030.tif 000004
【図４】
0003798030.tif 000005
【図５】
0003798030.tif 000006
【図６】
0003798030.tif 000007
【図７】
0003798030.tif 000008
【図８】
0003798030.tif 000009
【図９】
0003798030.tif 000010
【図１２】
0003798030.tif 000011
【図１０】
0003798030.tif 000012
【図１１】
0003798030.tif 000013
【図１３】
0003798030.tif 000014
【図１４】
0003798030.tif 000015
【図１５】
0003798030.tif 000016
【図１６】
0003798030.tif 000017
【図１７】
0003798030.tif 000018
【図１８】
0003798030.tif 000019
【図１９】
0003798030.tif 000020
【図２０】
0003798030.tif 000021
【図２１】
0003798030.tif 000022
【図２２】
0003798030.tif 000023
【図２３】
0003798030.tif 000024
【図２４】
0003798030.tif 000025
【図２５】
0003798030.tif 000026
【図２６】
0003798030.tif 000027
【図２７】
0003798030.tif 000028
【図２８】
0003798030.tif 000029
【図２９】
0003798030.tif 000030